(57)【要約】【課題】各種工具などを絶縁操作棒の先端に取り付けることのできる、安価に作製可能な簡易な構造を実現することにより、その専用アダプタを準備することなく、間接活線工法を導入し易くして、各種作業の作業性や安全性を向上させることのできる操作棒先端用把持構造を提供すること。【解決手段】手で把持する部分を備えることにより手元で取り扱う各種手元部材を、絶縁操作棒の先端に取り付ける補助具１０であって、絶縁操作棒の先端に取付可能なジョイント部２１を備えて手元部材を差込可能に内筒部１２の開口する筒形状の本体部１１と、その本体部１１の側面の周方向に均等な４箇所に形成されている雌ネジ穴１１ａに螺合して先端側を円筒部１２内に突出可能な六角ボルト１３と、を備える。【選択図】図３
2009278716.tif 000002
【特許請求の範囲】
【請求項１】
手で把持する部分を備えることにより手元で取り扱う各種手元部材を、遠隔位置の作業対象を操作可能に長尺な棒状に形成された操作棒の先端部に取り付ける把持構造であって、
前記操作棒の先端側の延長方向から前記手元部材を差込可能に開口する差込部を有する筒形状部と、該筒形状部内に差し込まれた前記手元部材の側面を締め付ける締付部と、を備える操作棒先端用把持構造において、
前記筒形状部の側面部には前記差込部の中心に向って開口する雌ネジ穴が１箇所または２箇所以上に形成されるとともに、前記締付部として該雌ネジ穴に螺合させることにより該筒形状部の差込部内に進退可能な雄ネジ部材を１つまたは２つ以上有することを特徴とする操作棒先端用把持構造。
【請求項２】
前記筒形状部の前記差込部内に差し込むことにより、前記手元部材を差込可能に開口する差込空間の開口面積を縮小するスペーサ部材を備えることを特徴とする請求項１に記載の操作棒先端用把持構造。
【請求項３】
前記筒形状部の前記差込部内に差し込むことにより、前記手元部材を差込可能な差込空間を形成するとともに、当該差込空間の一端側の開口面積を絞るスペーサ部材を備えることを特徴する請求項１または請求項２に記載の操作棒先端用把持構造。
【請求項４】
前記筒形状部の前記差込部内に差し込むことにより、前記手元部材を差込可能に開口する差込空間の深さを短縮するスペーサ部材を備えることを特徴とする請求項１から請求項３のいずれか一項に記載の操作棒先端用把持構造。
【発明の詳細な説明】
【技術分野】
【０００１】
本発明は、操作棒先端用把持構造に関し、詳しくは、操作棒先端の専用アダプタなどのような交換を不要にして、作業する工具や部品などを把持することのできるものに関する。
【背景技術】
【０００２】
従来、測定対象の近傍で測定器を把持したまま各種測定を行う場合があり、その測定器には、作業者が把持する棒状の把持部材を取り付けられている。例えば、配電線の電圧、電流等の特性を測定するための測定器では、作業者の把持する棒状の把持部材に絶縁性が確保されている。
【０００３】
また、ナットやボルトにより対象物を緊締固定する場合には、直接、そのナットまたはボルトの平行な外面にレンチを係合させて、あるいは、そのナットまたはボルトを相対回転不能にソケット内に収装してラチェットにより繰り返し回転させることによって、ナットとボルトの螺合位置を変更して対象物を緊締固定することができる。
【０００４】
さらに、ネジにより対象物を固定する場合には、ネジ廻し用のドライバの先端をそのネジのヘッドに相対回転不能に係合させて回転させることにより、対象物内にネジ山を捻じ込むことにより固定することができる。
【０００５】
ここで、高圧配電線に対して各種作業を行う場合には、従来には、高圧電圧用の絶縁手袋などを装着して、測定器を把持したり、ナットやボルトを操作するレンチを把持したり、また、ネジ廻し用ドライバを把持するなどして作業する、所謂、直接活線工法が行われていた。
【０００６】
しかるに、近年には、作業者の安全を考慮して、例えば、図２に示すように、各種専用工具を取り付ける先端部と把持する手元部との間の絶縁性の確保されている絶縁操作棒１００（例えば、特許文献１〜３を参照）を利用する所謂、間接活線工法が推奨されており、この間接活線工法では、直接、高電圧の掛かる箇所に触れることなく、また、接近し過ぎることなく、各種作業を行うことができる。
【０００７】
しかしながら、これらの各種作業を間接活線工法で行おうとすると、専用の道具が必要になる。例えば、上記の測定器では棒状の把持部材を延長したり、レンチなどでは絶縁操作棒１００の先端に専用のアダプタにより取り付けることにより、各種作業を行うことが考えられる。しかるに、これらの工具毎に専用のアダプタを準備するのは、現実的ではないことから、実際には、これらの作業を間接活線工法で行うことができないという課題があった。
【０００８】
このことから、本願出願人は、各種工具などを絶縁操作棒の先端に取り付けることのできる構造を実現することにより、その専用アダプタを準備することなく、間接活線工法を行い得るようにして、各種作業の作業性や安全性を向上させることのできる操作棒先端用把持構造を提供している（例えば、特許文献４、５を参照）。
【特許文献１】特開２００３−１８９４３３号公報
【特許文献２】特開２００３−  ３１１０６号公報
【特許文献３】特開２０００−１７５３２１号公報
【特許文献４】特開２００７−２８２４１７号公報
【特許文献５】特開２００７−２８２４１８号公報
【発明の開示】
【発明が解決しようとする課題】
【０００９】
そして、本発明は、さらに簡易な構造で上記文献４、５と同様に機能させることのできる構造を鋭意研究開発して、より導入し易い操作棒先端用把持構造を提供することを目的とする。
【課題を解決するための手段】
【００１０】
上記課題を解決する操作棒先端用把持構造の第１の発明は、手で把持する部分を備えることにより手元で取り扱う各種手元部材を、遠隔位置の作業対象を操作可能に長尺な棒状に形成された操作棒の先端部に取り付ける把持構造であって、前記操作棒の先端側の延長方向から前記手元部材を差込可能に開口する差込部を有する筒形状部と、該筒形状部内に差し込まれた前記手元部材の側面を締め付ける締付部と、を備える操作棒先端用把持構造において、前記筒形状部の側面部には前記差込部の中心に向って開口する雌ネジ穴が１箇所または２箇所以上に形成されるとともに、前記締付部として該雌ネジ穴に螺合させることにより該筒形状部の差込部内に進退可能な雄ネジ部材を１つまたは２つ以上有することを特徴とするものである。
【００１１】
この発明では、差込部の開口内に差し込んだ手元部材の側面を、筒形状部の雌ネジ穴に螺合させた雄ネジ部材（締付部）をその差込部の中心に向って進入させることにより、略直交方向から直接当接する状態で締め付けて簡易に固定することができ、操作棒の先端に手元部材をその差込方向などに移動しないように強固に把持することができる。したがって、筒形状部に雌ネジ穴を形成して雄ネジ部材を螺合させるだけの簡易な構造で、専用の操作棒やアダプタを準備することなく、手元部材を汎用の操作棒の先端に固定して遠隔位置に持って行き、各種操作をすることができ、例えば、測定器を遠隔位置の測定対象付近に位置させて測定したり、ドライバにより遠隔位置のネジを締め付けたり、レンチソケットにより遠隔位置のナットなどを締め付けるなどの各種作業を行うことができる。
【００１２】
上記課題を解決する操作棒先端用把持構造の第２の発明は、上記第１の発明の特定事項に加え、前記筒形状部の前記差込部内に差し込むことにより、前記手元部材を差込可能に開口する差込空間の開口面積を縮小するスペーサ部材を備えることを特徴とするものである。
【００１３】
この発明では、筒形状部の差込部の開口面積が大きいために手元部材が大きく傾斜して把持固定する操作が面倒になる場合には、その差込部内にスペーサ部材を差し込むことにより、そのスペーサ部材内にセットする手元部材を固定したときの姿勢に近い状態にすることができる。したがって、手元部材のサイズによる制限なく利用することができる。
【００１４】
上記課題を解決する操作棒先端用把持構造の第３の発明は、上記第１または第２の発明の特定事項に加え、前記筒形状部の前記差込部内に差し込むことにより、前記手元部材を差込可能な差込空間を形成するとともに、当該差込空間の一端側の開口面積を絞るスペーサ部材を備えることを特徴するものである。
【００１５】
この発明では、筒形状部の差込部に差し込むスペーサ部材内に手元部材をセットすることにより、そのスペーサ部材の一端側開口の縁部を手元部材の肩部に接近させることができる。したがって、締付部の雄ネジ部材による締付状態が緩くなったとしても、筒形状部内から離脱しようとする手元部材の肩部をスペーサ部材の一端側開口の縁部で衝止することができ、不用意に手元部材が操作棒先端から脱落してしまうことを未然に防止することができる。
【００１６】
上記課題を解決する操作棒先端用把持構造の第４の発明は、上記第１から第３のいずれかの発明の特定事項に加え、前記筒形状部の前記差込部内に差し込むことにより、前記手元部材を差込可能に開口する差込空間の深さを短縮するスペーサ部材を備えることを特徴とするものである。
【００１７】
この発明では、筒形状部の差込部が深いために手元部材が内部に埋没する状態になってしまう場合には、その差込部内にスペーサ部材を差し込むことにより、その筒形状部内にセットする手元部材をスペーサ部材により支持する状態で固定することができる。したがって、手元部材のサイズによる制限なく利用することができる。
【発明の効果】
【００１８】
このように本発明によれば、操作棒先端の筒形状部内に手元部材を差し込んで雄ネジ部材を捻じ込むだけで把持・固定することができるので、専用の操作棒やアダプタを準備することなく、操作棒の先端に手元部材を簡易な構造で容易に取り付けて、直接、遠隔する作業位置に持って行って各種操作をすることができる。したがって、筒形状部に雄ネジ部材を螺合させる簡易な構造で作製し易い安価なアダプタを配布して、例えば、測定器を遠隔位置の測定対象付近に持って行って測定を行ったり、ドライバやレンチソケットで遠隔位置のネジやナットなどの締付作業などを行うことができる。このため、操作棒として、先端部との絶縁性の確保されている絶縁操作棒を準備することにより、所謂、間接活線工法を、各種作業用のアダプタや先端具などを準備することなく行うことができ、容易に導入することができる。この結果、間接活線工法における各種作業の作業性や安全性を簡易かつ安価に向上させることができる。
【発明を実施するための最良の形態】
【００１９】
以下、本発明の最良の実施形態を図面に基づいて説明する。図１〜図１７は本発明に係る操作棒先端用把持構造を採用する補助具の一実施形態を示す図である。
【００２０】
図１において、補助具１０は、図２に示す絶縁操作棒１００の先端部に取り付けて利用するものであり、その絶縁操作棒１００の先端に各種の道具や部材を把持可能な構造を備えて遠隔位置での各種作業を可能にする。
【００２１】
この補助具１０は、円筒形状に形成されて先端側を開口する本体部（筒形状部）１１と、この本体部１１の基端側に連設されて絶縁操作棒１００の先端への着脱を実現するジョイント部２１と、を備えている。
【００２２】
本体部１１は、図３に示すように、手で把持などする各種道具や部材の手元部材を差し込み可能な内径で開口するとともに、その各種道具や部材を強固に把持するのに必要な深さの内筒部（差込部）１２を備える円筒形状に設計されており、その先端側には、雌ネジ穴１１ａが周方向均等間隔の４箇所に穿孔・刻設されて、その内筒部１２内に雄ネジ部１３ａの先端を突出させるように、汎用の六角ボルト（雄ネジ部材）１３が螺合されている。なお、本体部１１の底側の六角ボルト１３については、後述する。
【００２３】
これにより、補助具１０は、互いに直交する姿勢で交差する位置関係になるように一対の六角ボルト１３が内筒部１２の先端側に配設されており、その六角ボルト１３は、雄ネジ部１３ａを雌ネジ穴１１ａに螺合させた状態にして、ヘッド部１３ｂに開口する六角穴１３ｃに不図示の六角レンチを差し込み係合させ順方向に螺合回転させることにより、その内筒部１２内に雄ネジ部１３ａを進入させて対向する方向から突き合わせる姿勢の先端間で各種道具や部材の対象物を強固に挟持する状態で締め付けて把持することができ、また、逆方向に螺合回転させることによりその締付を解除することができる。すなわち、この六角ボルト１３が締付部を構成している。
【００２４】
ここで、この補助具１０では、内筒部１２の先端側の周方向４箇所に六角ボルト１３を取り付けることができるように本体部１１を設計されているが、これに限るものではなく、１箇所のみにして六角ボルト１３の雄ネジ部１３ａの先端が対象物を内筒部１２の内壁面に押し付けるようにして締付・固定（把持）するようにしてもよく、また、３箇所や５箇所以上にしてもよいことは言うまでもない。しかるに、本実施形態のように、内筒部１２内で雄ネジ部１３ａの先端同士を対向する方向から突き合わせることのできる位置に六角ボルト１３を配設する方が対象物をしっかりと挟持して締付・固定することができて好ましい。さらに、この六角ボルト１３の配置は、本体部１１の長さ方向１箇所の周方向１段だけではなく、２箇所（２段）以上にして本体部１１の上下に離隔する位置で内筒部１２内の対象物を締付・固定するようにしてもよいことは言うまでもない。
【００２５】
ジョイント部２１は、図２に示す絶縁操作棒１００の先端部を差込可能に基端部の後端面が開口する有底の円筒形状に形成されており、その円筒部２２の互いに反対側となる周面が上下を反転させた概略Ｌ字形状に切り欠かれることにより、後端面（操作棒１００）側から軸長方向の先端側に向う差込切欠部２３と、この差込切欠部２３に対して直交する周方向に延在する係合切欠部２４と、が一対形成されている。
【００２６】
これに対して、絶縁操作棒１００は、先端部の互いに反対側となる側面に突起形状に一対立設されることによりジョイント部２１の２箇所の切欠部２３、２４内に挿し込んで係合させることのできるピン１０１と、先端部の先端面に配設されて不図示の内蔵スプリングにより突出方向に付勢されている突起１０２と、先端部の側面に刻設されている不図示のネジ形状に螺合して進退可能なグリップ１０３と、滑り難い材質の取替え可能な滑り止が施されて作業員の把持する基端部側の把持部１０４と、を備えている。
【００２７】
これにより、絶縁操作棒１００は、補助具１０のジョイント部２１内に先端部を差し込んで突起１０２を内蔵スプリングの弾性力に抗して沈ませつつ、ピン１０１の双方をそのジョイント部２１の切欠部２３、２４内に進入させて回転させた後に、その進入させる力を解放すると、突起１０２がスプリングの弾性力により突出してジョイント部２１を押し出すことにより、その係合切欠部２４から屈曲する係合溝２４ａ内にピン１０１を離脱不能に係合させることができる。さらに、この絶縁操作棒１００は、グリップ１０３を回転させてジョイント部２１側に寄せることによりピン１０１が係合溝２４ａ内から離脱して回転しないようにロックすることができ、補助具１０が相対回転して外れてしまうことを信頼性高く防止して取り扱い易くすることができる。このため、補助具１０は、ジョイント部２１により他の専用工具と同様に絶縁操作棒１００を共通使用することができる。
【００２８】
ここで、この絶縁操作棒１００は、中間部分に傘カバー１０５、１０６が取り付けられているとともに、全体をプラスチックなどの絶縁材料で作製されることにより絶縁性が確保されており、先端側の傘カバー１０５が補助具１０側からの水分を滴下させるとともに、基端側の傘カバー１０６が安全に作業を行い得る限界位置を示して、作業する際の安全を確保することにより、所謂、間接活線工法により各種作業を行うことを可能にする。
【００２９】
したがって、補助具１０は、例えば、図４に示すように、本体部１１の内筒部１２内にドライバ２００の把持部２０１を差し込んで六角ボルト１３の雄ネジ部１３ａの先端を直交方向から直接当接させて強固に挟持する状態で締付・把持することができ、絶縁操作棒１００の先端に取り付けることにより、遠隔位置のネジを回転操作する作業を間接活線工法により行うことができる。また、同様に、図５に示す検電器３００の把持部３０１も本体部１１の内筒部１２内に差し込んで六角ボルト１３で締付・把持することにより絶縁操作棒１００の先端に取り付けて遠隔位置の電圧の有無などを検査などする作業を間接活線工法により行うことができる。
【００３０】
さらに、この補助具１０には、図６に示す錆落しなどをするヘラ４００や図７に示す清掃用のブラシ５００などでも、その把持部４０１、５０１を本体部１１の内筒部１２内に差し込んで六角ボルト１３を適宜選択使用することによりその雄ネジ部１３ａの先端同士で締付・把持したり、あるいは、雄ネジ部１３ａの先端で内筒部１２の内壁面に押し付けるようにして締付・把持することもでき、絶縁操作棒１００の先端に取り付けて遠隔位置の清掃作業などを間接活線工法により行うことができる。
【００３１】
そして、この補助具１０は、図８および図９に示すように、本体部１１内に差し込むことにより、その厚さ分だけ内筒部１２の開口面積を縮小するスペーサ部材３１が付属されており、このスペーサ部材３１は、その内筒部１２と略同一の外径と長さに設定されていて両端側の開口する円筒形状に作製されることにより、その内部に差し込み可能に形成されている。
【００３２】
また、本体部１１には、このスペーサ部材３１の取り付けに対応して、内筒部１２の先端側から離隔するジョイント部２１側の底側の周方向均等間隔の２箇所にも、雌ネジ穴１１ｂが穿孔・刻設されており、その雌ネジ穴１１ｂには同様に六角ボルト１３が螺合されている。
【００３３】
これに対して、このスペーサ部材３１は、本体部１１の円筒部分に穿孔されている雌ネジ穴１１ａ、１１ｂに対応する位置に、六角ボルト１３の雄ネジ部１３ａを挿脱自在に開口する貫通穴３１ａ、３１ｂが形成されている。
【００３４】
これにより、この補助具１０は、例えば、図１０に示すように、本体部１１の内筒部１２内にスペーサ部材３１を差し込んでジョイント部２１側の少なくとも１箇所の雌ネジ穴１１ｂに六角ボルト１３を螺合させて貫通穴３１ｂにその先端を差込状態にすることにより脱落不能に取り付けることができ、そのスペーサ部材３１内に細めの把持部２１１に作製されているドライバ２１０を差し込むことにより、その把持部２１１が倒れた姿勢にならないように（セットした状態に近い姿勢に）保持しつつ、六角ボルト１３が内筒部１２の開口側の貫通穴３１ａを貫通して、そのドライバ２１０の把持部２１１を強固に挟持して締付・把持することができる。また、この補助具１０では、図１１に示す細めの把持部５１１に作製されているワイヤブラシ５１０でも、その把持部５１１を六角ボルト１３の雄ネジ部１３ａの先端でスペーサ部材３１の内壁面に押し付けるようにして締付・把持することができ、それぞれ絶縁操作棒１００の先端に取り付けて遠隔位置の各種作業を間接活線工法により行うことができる。
【００３５】
さらに、この補助具１０は、図１２および図１３に示すように、スペーサ部材３１と同様の寸法の円筒形状に形成されて、内筒部１２の雌ネジ部１１ａ、１１ｂのそれぞれに対応する位置に貫通穴３１ａ、３１ｂが形成されているとともに、その一端側開口が円錐形状に形成されているスペーサ部材４１も付属されており、このスペーサ部材４１は、円錐部４２の先端側で開口面積をスペーサ部材３１よりもさらに絞るように（縮小するように）開口している。
【００３６】
これにより、この補助具１０は、例えば、図１４に示すように、本体部１１の内筒部１２内に差し込まれたドライバ２１０の細めの把持部２１１に被せるように、スペーサ部材４１をその内筒部１２との間に差し込むことができ、ジョイント部２１側の雌ネジ穴１１ｂに六角ボルト１３を螺合させて貫通穴３１ｂにその先端を差込状態にすることにより、内筒部１２の開口側の六角ボルト１３によるドライバ２１０の把持部２１１の締付・把持が緩くなったとしても、そのドライバ２１０の把持部２１１の先端側の肩部を円錐部（開口側縁部）４２で衝止することができる。このため、スペーサ部材４１と共に脱落不能に絶縁操作棒１００の先端に細めのドライバ２１０などを取り付けることができ、遠隔位置のネジを回転操作する作業を間接活線工法により行うことができる。
【００３７】
また、この補助具１０は、図１５に示すように、スペーサ部材３１よりも短尺な円筒形状に形成されて少なくとも一端側を閉塞する天井部５２を備えているとともに、内筒部１２の底側の雌ネジ部１１ｂに対応する位置に貫通穴３１ｂが形成されているスペーサ部材５１も付属されており、このスペーサ部材５１は、内筒部１２内に差し込まれたときに、その先端側の雌ネジ部１１ａを露出させる長さに寸法設定されている。
【００３８】
これにより、この補助具１０は、例えば、図１６に示すように、本体部１１の内筒部１２内にスペーサ部材５１を差し込んでジョイント部２１側の雌ネジ穴１１ｂに六角ボルト１３を螺合させて貫通穴３１ｂにその先端を差込状態にし脱落不能に取り付けることにより、その内筒部１２をスペーサ部材５１の天井部５２までの深さに短縮して浅くすることができ、その天井部５２上にナット部材６００を載置した状態にしつつ一対の開口側六角ボルト１３の先端間でそのナット部材６００の平行な平面部６０１を挟み込むように挟持して締付・把持することができる。このため、この状態でそのナット部材６００を絶縁操作棒１００の先端に保持させて遠隔位置のネジなどに螺合させる回転操作を快適に間接活線工法により行うことができる。
【００３９】
ここで、この補助具１０は、スペーサ部材５１によりナット部材６００を締付・固定して遠隔位置での螺合回転作業を行い得るようにするだけでなく、例えば、図１７に示すようなレンチソケット７００の把持部７０１を内筒部１２内に差し込んで締付・固定することもでき、そのソケット部７０２のソケット穴７０２ａ内にナット部材６００を嵌め込んで遠隔位置のネジなどに螺合させる回転操作を間接活線工法により行うことができることは言うまでもない。なお、図１７中の７０２ｂはナット部材６００を螺合させるボルトを差込可能に開口する挿通穴である。
【００４０】
このように本実施形態においては、絶縁操作棒１００の先端に着脱可能な補助具１０の内筒部１２内にドライバ２００などの各種道具やナット部材６００などの各種部材を差し込んで六角ボルト１３を螺合回転させるだけの簡易な構造で容易に締付・固定して取り付けることができ、専用の操作棒やアダプタを準備することなく、遠隔位置の各種作業を間接活線工法により快適に行うことができる。したがって、円筒形状の本体部１１に六角ボルト１３を螺合させるだけの簡易な構造で安価に作製することのできる補助具１０を各作業場所などに気軽に配布して、間接活線工法による安全な各種作業を推奨することができる。
【産業上の利用可能性】
【００４１】
これまで本発明の一実施形態について説明したが、本発明は上述の実施形態に限定されず、その技術的思想の範囲内において種々異なる形態にて実施されてよいことは言うまでもない。
【図面の簡単な説明】
【００４２】
【図１】本発明に係る操作棒先端用把持構造を採用する補助具の一実施形態を示す図であり、その外観を示す正面図である。
【図２】その補助具を先端に取り付ける絶縁操作棒を示す平面図である。
【図３】その概略全体構成を示す図であり、（ａ）はその一部断面正面図、（ｂ）はその上面図である。
【図４】その補助具にドライバを取り付けた状態を示す図であり、（ａ）はその一部断面正面図、（ｂ）はその上面図である。
【図５】その補助具に取付可能な道具の一例である道具の検電器を示す平面図である。
【図６】その補助具に取付可能な道具の一例であるヘラを示す平面図である。
【図７】その補助具に取付可能な道具の一例であるブラシを示す平面図である。
【図８】その補助具に付属するスペーサ部材を示す正面図である。
【図９】その補助具にスペーサ部材をセットした状態を示す一部断面正面図である。
【図１０】そのスペーサ部材をセットした補助具に小さなドライバを取り付けた状態を示す図であり、（ａ）はその一部断面正面図、（ｂ）はその上面図である。
【図１１】そのスペーサ部材をセットした補助具に快適に取付可能な道具の一例である細目のブラシを示す平面図である。
【図１２】その補助具に付属する図８に示すものとは別のスペーサ部材を示す正面図である。
【図１３】その補助具にスペーサ部材をセットした状態を示す一部断面正面図である。
【図１４】そのスペーサ部材をセットした補助具に小さなドライバを取り付けた状態を示す図であり、（ａ）はその一部断面正面図、（ｂ）はその上面図である。
【図１５】その補助具に付属する図８や図１２に示すものとは別のスペーサ部材を示す正面図である。
【図１６】その補助具にスペーサ部材をセットして小さな部材の一例であるナット部材を把持させた状態を示す一部断面正面図である。
【図１７】そのナット部材ようのソケットレンチを示す図であり、（ａ）はその正面図、（ｂ）はその上面図である。
【符号の説明】
【００４３】
１０……補助具    １１……本体部    １１ａ、１１ｂ……雌ネジ穴    １２……内筒部    １３……六角ボルト    １３ａ……雄ネジ部    ２１……ジョイント部    ３１、４１、５１……スペーサ部材    ３１ａ、３１ｂ……貫通穴    ４２……円錐部    ５２……天井部    １００……絶縁操作棒    ２００、２１０……ドライバ    ２０１、２１１、３０１、４０１、５０１、５１１、７０１……把持部    ３００……検電器    ４００……ヘラ    ５００……ブラシ    ５１０……ワイヤブラシ    ６００……ナット部材    ７００……レンチソケット        ７０２……ソケット部
【図１】
2009278716.tif 000003
【図２】
2009278716.tif 000004
【図３】
2009278716.tif 000005
【図４】
2009278716.tif 000006
【図５】
2009278716.tif 000007
【図６】
2009278716.tif 000008
【図７】
2009278716.tif 000009
【図８】
2009278716.tif 000010
【図９】
2009278716.tif 000011
【図１０】
2009278716.tif 000012
【図１１】
2009278716.tif 000013
【図１２】
2009278716.tif 000014
【図１３】
2009278716.tif 000015
【図１４】
2009278716.tif 000016
【図１５】
2009278716.tif 000017
【図１６】
2009278716.tif 000018
【図１７】
2009278716.tif 000019